【事件の表示】
　特願２００９−　３８８１５「遊技機」拒絶査定不服審判事件〔平成２１年　５月２８日出願公開、特開２００９−１１２８３３〕について、次のとおり審決する。
【結　論】
　本件審判の請求は、成り立たない。
【理　由】
第１．手続の経緯等
　
　本願は、平成１２年５月２２日に出願した特願２０００−１５０６７８号の一部を、平成１９年６月６日に新たな特許出願（特願２００７−１５０１６６号）とし、その一部を平成２０年３月７日に新たな特許出願（特願２００８−５７５０１号）とし、さらにその一部を平成２１年２月２３日に新たな特許出願としたものであって、同年４月２日付の拒絶理由通知に対して同月１４日付で手続補正がなされ、これに対し、同年６月９日付で拒絶査定がなされ、これに対し、同月２２日付で拒絶査定不服に対する審判の請求および手続補正がなされたものである。
　
第２．平成２１年６月２２日付けの手続補正についての補正却下の決定
　
［補正却下の決定の結論］
　
　平成２１年６月２２日付けの手続補正（以下、「本件補正」という。）を却下する。
　
［理由］
　
１．本件補正の内容と補正の適否
　
　本件補正により、特許請求の範囲の請求項１は、平成２１年４月１４日付手続補正により補正された特許請求の範囲の請求項１に記載された
「普通入賞口にパチンコ球が入賞すると、表示装置の表示部に変動表示ゲームの推移を表示し、発生させた乱数の値により普通大当り又は確率変動大当りを決定すると共に、普通大当り又は確率変動大当りとなった場合、大当りゲームで変動入賞装置を断続的に所定の回数だけ開放した後、確率変動大当りのときには高確率で大当りが発生する確率変動状態になる一方、普通大当りのときには普通確率状態になる遊技機において、
パチンコ球が通過するディジタルスタートチャッカーと、
チューリップを具備する特別入賞口と、
特別入賞口にパチンコ球が入賞すると、変動を開始する第２表示器と、
各変動表示ゲームにおいて、普通図柄での普通大当りや特別図柄での確率変動大当りの発生、及び大当りを発生させる確率をコントロールすると共に、パチンコ球が前記ディジタルスタートチャッカーを通過することにより発生させた乱数が所定数の場合、前記チューリップを所定時間開いてパチンコ球を特別入賞口に入賞可能とする制御部とを具備し、
前記制御部は、特別入賞口にパチンコ球が入賞すると、第２表示器を変動及び停止させ、所定の停止表示の場合、確率変動状態にして、パチンコ球が前記ディジタルスタートチャッカーを通過すると、チューリップを普通確率状態よりも開放され易くし且つ開放時間も向上させること、
を特徴とする遊技機。」から、
　
「普通入賞口にパチンコ球が入賞すると、表示装置に設けられた入賞球表示部に入賞したパチンコ球の数を表示し、及び該表示装置の表示部に変動表示ゲームの推移を表示し、発生させた乱数の値により普通大当り又は確率変動大当りを決定すると共に、普通大当り又は確率変動大当りとなった場合、大当りゲームで変動入賞装置を断続的に所定の回数だけ開放した後、確率変動大当りのときには高確率で大当りが発生する確率変動状態になる一方、普通大当りのときには普通確率状態になる遊技機において、
パチンコ球が通過するディジタルスタートチャッカーと、
チューリップを具備する特別入賞口と、
特別入賞口にパチンコ球が入賞すると、変動を開始する第２表示器と、
各変動表示ゲームにおいて、普通図柄での普通大当りや特別図柄での確率変動大当りの発生、及び大当りを発生させる確率をコントロールすると共に、パチンコ球が前記ディジタルスタートチャッカーを通過することにより発生させた乱数が所定数の場合、前記チューリップを所定時間開いてパチンコ球を特別入賞口に入賞可能とする制御部とを具備し、
前記入賞球表示部は、普通入賞口に入賞したパチンコ球の数及び特別入賞口に入賞したパチンコ球の数も表示し、
前記制御部は、特別入賞口にパチンコ球が入賞すると、第２表示器を変動及び停止させ、所定の停止表示の場合、確率変動状態にして、パチンコ球が前記ディジタルスタートチャッカーを通過すると、チューリップを普通確率状態よりも開放され易くし且つ開放時間も向上させること、
を特徴とする遊技機。」（以下、「本願補正発明」という。）へと補正された。
　
　上記補正は、補正前の「表示装置」に、「入賞したパチンコ球の数を表示」及び「普通入賞口に入賞したパチンコ球の数及び特別入賞口に入賞したパチンコ球の数も表示」する「入賞球表示部」が設けられている旨、限定するものであり、平成１８年法律第５５号改正附則３条１項によりなお従前の例によるとされる同法による改正前の特許法１７条の２第４項２号の特許請求の範囲の減縮を目的とするものに該当する。
　そこで、本願補正発明が特許出願の際独立して特許を受けることができるものであるか（上記改正前の特許法１７条の２第５項において準用する同法１２６条５項の規定に適合するか）について以下に検討する。
　
２．引用文献
　
　原査定の拒絶の理由に引用された特開平５−１７７０４１号公報（以下、「引用文献」という。）には、以下の事項が図面とともに記載されている。
　
・記載事項１
　「本発明は、・・・遊技機に関する。」（第２頁１欄１４〜２０行） 
　
・記載事項２
　「遊技領域２には、１対の可動翼片９が普通電役物ソレノイド１０によって開閉されることにより打玉が入賞しやすい遊技者にとって有利な第１の状態と打玉が入賞できない遊技者にとって不利な第２の状態とに変化する普通可変入賞球装置８が設けられている。この普通可変入賞球装置８は、電動ヤクモノ式始動入賞口を構成しており、第１の状態に変化した後所定期間（たとえば５．９秒）の経過または打玉の所定個数（６個）の入賞のうちいずれか早いほうの条件が成立することにより第２の状態に切替わり打玉が入賞できない状態になる。」（第２頁２欄３５〜４５行）
　
・記載事項３
　「【００１１】遊技領域２の下方位置には、開閉板１９が開閉することにより打玉が入賞しやすい遊技者にとって有利な第１の状態と打玉が入賞しない遊技者にとって不利な第２の状態とに変化可能な特別可変入賞球装置１７が設けられている。」（第２頁２欄５０行〜第３頁３欄４行）
　
・記載事項４
　「【００１２】遊技領域２内に打込まれたパチンコ玉が始動通過口５ａ，５ｂを通過すれば、その通過玉が始動通過玉検出器６ａ，６ｂにより検出され、その検出出力に基づいて普通可変表示装置４の左普通図柄表示器４ａ，中普通図柄表示器４ｂ，右普通図柄表示器４ｃが可変開始し、所定時間の経過により、左普通図柄表示器４ａ，中普通図柄表示器４ｂ，右普通図柄表示器４ｃの順序で可変表示が停止する。この始動通過口５ａ，５ｂをパチンコ玉が通過するごとにその始動通過個数が加算記憶され、その始動通過記憶に基づく普通可変表示装置４の可変表示が行なわれるごとに始動通過記憶値が「１」ずつ減算される。その始動通過記憶値が始動記憶表示器７により表示される。なお、この始動通過個数の記憶の上限はたとえば「４」と定められている。」（第３頁３欄９〜２２行） 
　
・記載事項５
　「【００１３】遊技領域２内に打込まれたパチンコ玉が普通可変入賞球装置８に入賞すれば始動入賞玉検出器１１により検出され、その検出出力に基づいて特別可変表示装置１４が可変開始される。なお、この始動入賞玉検出器１１は、普通可変入賞球装置８内に入賞した入賞玉の個数を計数するための検出スイッチにも兼用される。さらに、打込玉が始動入賞口１２に入賞すればその入賞玉が始動入賞玉検出器１３により検出され、その検出出力に基づいて特別可変表示装置１４が可変開始される。この特別可変表示装置１４の可変表示は、所定時間の経過により、左特別図柄表示部１４ａ，右特別図柄表示部１４ｃ，中特別図柄表示部１４ｂの順序で停止する。なお、普通可変入賞球装置８にパチンコ玉が入賞するごとにまたは始動入賞口１２にパチンコ玉が入賞するごとにその入賞個数が加算記憶され、その入賞記憶に基づいて特別可変表示装置１４が可変表示されるごとにその入賞記憶値が「１」ずつ減算される。この始動入賞記憶の上限値はたとえば「４」と定められており、その始動入賞記憶値が始動入賞記憶表示器１５により表示される。」（第３頁３欄２４〜４２行） 
　
・記載事項６
　「【００１４】普通可変表示装置４の可変停止時の表示結果が予め定められた識別情報（たとえば３，７，Ｆのいずれかの図柄からなるぞろ目）となれば、普通可変入賞球装置８の可動部材９が開成して第１の状態になる。この普通可変入賞球装置８への打玉の入賞確率が向上して特別可変表示装置１４が可変開始される確率が向上する。この特別可変表示装置１４には、中央横およびななめ右上りおよびななめ右下がりの合計３列の当り列（組合せ有効列）が定められおり、この特別可変表示装置１４の可変停止時の表示結果が、この３列の当り列上のいずれかにおいて特定の識別情報の組合せ（たとえば７７７等の大当り図柄）が成立した場合には特定遊技状態が発生し、特別可変入賞球装置１７のソレノイド２０が励磁されて開閉板１９が開成した第１の状態となり、大当り状態となる。・・・この特別可変入賞球装置１７の第１の状態は、所定時間（たとえば３０秒間）の経過または所定個数（たとえば１０個）の打玉の入賞のうちいずれか早いほうの条件が成立することにより終了し、第２の状態に切替わる。この特別可変入賞球装置１７の第１の状態の期間中に進入したパチンコ玉が１つでも特定入賞領域２１内に入賞すれば、その回の第１の状態が終了した後再度開閉板１９が開成されて第１の状態が繰返し継続制御される。この繰返し継続制御の上限回数はたとえば１６回に定められている。」（第３頁３欄４５行〜４欄２８行）
　
・記載事項７ 
　「【００１５】一方、特別可変表示装置１４の停止時の表示結果が大当り図柄となり、大当り状態が発生してその大当り状態が終了したときに、確率変動用可変表示器２４が所定時間（たとえば２秒）可変表示した後停止する。その停止時の表示結果が、たとえば３または７のぞろ目からなる確率向上図柄の場合に確率変動条件が成立して、特別可変表示装置１４の停止時の表示結果が予め定められた所定の識別情報（たとえば７，Ｆ，Ｇ等のいずれかの大当り図柄からなるぞろ目）となる確率が向上するように制御され、たとえば３，７以外の数字のぞろ目からなる確率向上図柄の場合に確率変動条件が成立して普通可変表示装置４の停止時の表示結果が予め定められた所定の識別情報（たとえば３，７，Ｆのいずれかの図柄からなるぞろ目）となる確率が向上するように制御される。」（第３頁４欄３６〜５０行）
　
・記載事項８
　「また、それぞれの表示部が別になっておれば確率変動用可変表示器２４を可変表示装置３に一体に設けてもよい」（第４頁５欄２７〜２９行）
　
・記載事項９
　「ランダム１カウンタとは、特別可変表示装置１４の停止時の表示結果を大当りにするか否かを決定するための１次抽選用のカウンタであり、かつ、確率変動用可変表示器２４の表示結果を確率変動図柄（当り図柄）にしないことが決定された場合に確率変動図柄以外の図柄（はずれ図柄）を決定するためのカウンタでもある。ランダム２カウンタとは、特別可変表示装置１４の停止時の表示結果を大当りにするか否かを決定するための２次抽選用のランダムカウンタであり、かつ、確率変動用可変表示器２４の表示結果を確率変動図柄にするか否かを決定するための抽選用のカウンタであり、かつ、確率変動図柄にする旨の決定に基づいて表示すべき確率変動図柄の種類を決定するカウンタにも兼用されている。」（第６頁９欄３５〜４７行）
　
・記載事項１０
　「始動通過数が「０」でない場合にはＳ１６７に進み、ランダム４カウンタの値（Ｓ１０参照）を普通図柄入賞記憶エリアの対応するエリアに格納する処理が行なわれ、」（第９頁１６欄１４〜１７行）
　
・記載事項１１
　「次にＳ３５に進み、普通図柄入賞記憶があるか否かの判断が行なわれ、・・・入賞記憶がある場合にはＳ３６に進み、普通始動記憶数（図２５Ｓ１５８参照）を「１」減算する処理が行なわれる。次にＳ３７に進み、普通図柄入賞記憶エリア（Ｓ１６７参照）のエリア１に格納されているランダム４の値が当りとなる値であるか否かの判断が行なわれる。・・・そのエリア１に格納されているランダム４カウンタの値が当りに相当する値であるか否かがこのＳ３７により判断される。その判断に際しては、通常時においてはランダム４カウンタが取り得る範囲の値のうちある１つの値のみが大当りと判断されるが、後述するＳ１４４，Ｓ１４５によりランダム４カウンタの当り範囲を向上させる確率変動条件が成立している場合には、ランダム４カウンタが取り得る値の範囲のうち１０種類の値のいずれでも大当りと判断される。その結果、確率向上時においては通常時に比べて大当りとなる確率が１０倍に向上する。Ｓ３７により大当りであると判断された場合にはＳ３８に進み、ランダム５カウンタの左図柄用の値に合わせて左図柄＝中図柄＝右図柄をセットしてＳ４２に進む。このＳ３８により、普通可変表示装置４が予め定められた所定の識別情報（たとえば３，７，Ｆの図柄のうちのある図柄のぞろ目）となるように停止制御される。」（第９頁１６欄４１行〜第１０頁１７欄１８行）
　
・記載事項１２
　「Ｓ６４により、特別図柄入賞記憶エリア（図２６Ｓ１７０参照）に入賞記憶があるか否かの判断が行なわれ、ない場合にはＳ６５に進み、１次抽選フラグを「外れ」にセットする。特別可変表示装置１４の当り外れの決定は、ランダム１カウンタの値に基づいた１次抽選とランダム２カウンタの値に基づいた２次抽選との２つの抽選結果が共に当りである場合にはじめて大当りと決定されるのであり、そのために、１次抽選の結果を記憶しておくための１次抽選フラグが必要となる。特別図柄入賞記憶があった場合にはＳ６６に進み、特別図柄入賞記憶エリアのエリア１に格納されているランダム１カウンタの値と現在のランダム１カウンタの値とを加算し、その加算結果が当りの値になるか否かの判定を行なう。このとき、当りの値の個数は、０〜９９個の値のうち通常時には４個、確率向上時には４０個となるように定められている。」（第１１頁２０欄１７〜３２行）
　
・記載事項１３
　「【００８３】Ｖ入賞フラグがセットされている場合にはＳ１２３に進み、開放回数が最大か否かの判断が行なわれ、まだ最大回数には達していない場合にはＳ１２４に進み、特別図柄プロセスフラグを「１３」に更新し、プロセスタイマＢに開放時間をセットし、開放回数カウンタを「１」歩進した後にＳ１３５に進む。一方、開放回数が最大に達している場合またはＶ入賞フラグがセットされていない場合にはＳ１２５に進み、開放回数カウンタをクリアし、大当り情報をＯＦＦ出力にセットし、１次抽選フラグをクリアする処理が行なわれる。つまり、Ｖ入賞フラグがセットされていない場合には可変入賞球装置を再度第１の状態に繰返し継続させる繰返継続制御が行なわれないのであり、また、たとえＶ入賞フラグがセットされている場合であっても開放回数が既に最大に達している場合にはそれ以上繰返継続制御が行なわれないのであり、そのために、Ｓ１２５による処理が行なわれる。次にＳ１２６に進み、現在のランダム２カウンタのカウント値を判定し、Ｓ１２７により、そのカウント値が、特別可変表示装置１４の停止時の表示結果が当り図柄となる確率を向上させる高確率状態を開始させる値になっているかの判断が行なわれる。ＹＥＳと判断された場合には、Ｓ１２８に進み、確率変動用可変表示器２４（図１参照）の停止図柄の左と右を共に３または７のいずれかのぞろ目にセットする処理が行なわれＳ１３５に進む。一方、Ｓ１２６による判定の結果ランダム２カウンタのカウント値が、普通可変表示装置４（図１参照）の停止時の表示結果が当りとなる確率を向上させる高確率状態を開始する値になっているか否かの判断が行なわれ、なっている場合にはＳ１３０に進み、確率変動用可変表示器２４の停止図柄の左と右を共に、０，１，２，４，５，６，８，９，のいずれかのぞろ目にセットする処理が行なわれてＳ１３４に進む。つまり、確率変動用可変表示器２４の停止時の表示結果が「３３」または「７７」の場合には特別可変表示装置１４が高確率で大当りが発生するように制御されるのであり、また、確率変動用可変表示器２４の停止時の表示結果が「００」，「１１」，「２２」，「４４」，「５５」，「６６」，「８８」，「９９」のいずれかであった場合には、普通可変表示装置４が高確率で大当りが発生するように制御されるのである。」（第１５頁２７欄３８行〜第２８欄２８行）
　
・記載事項１４
　「【００９５】特別図柄と普通図柄との確率変動条件は、少なくとも確率変動用可変表示器２４の表示図柄が所定の図柄に揃った場合に変動するものであれば、それ以外の条件の成立時にも変動させるようにしてもよい。その場合の確率向上条件としては、以下のものが考えられる。」（第１７頁３２欄１３〜１８行） 
　
・記載事項１５
　「【００９６】（１）電源投入後普通可変表示装置４または特別可変表示装置１４により所定回数の可変表示が行なわれた場合に確率向上させてもよい。また、特別可変表示装置１４の表示結果が大当り図柄と異なる確率向上図柄の組合せあるいは大当り図柄のうちの或る図柄と同じ確率向上図柄の組合せになった場合に確率を向上させてもよい。また、前述したリーチ状態が発生した場合に確率を向上させてもよい。さらに、普通可変表示装置の表示結果が所定の識別情報となった場合に確率を向上させてもよい。」（第１７頁３２欄１９〜２５行） 
　
・記載事項１６
　「【００９７】（２）普通可変入賞球装置８や始動入賞口１２や始動通過口５ａ，５ｂに打玉が入賞したときに抽出したランダムカウンタの値が予め定める値であった場合に確率を向上させてもよい。（第１７頁３２欄３５〜３９行） 
　
・記載事項１７
　「【０１１２】また、本実施例では、特別可変表示装置１４の表示結果が特定の識別情報の組合せとなって大当りが発生しその大当りが終了したときに確率変動用可変表示器を可変表示・停止させるようにしたが、確率変動用可変表示器の可変開始・可変停止の条件は、たとえば遊技領域に設けられた所定の通過領域をパチンコ玉が通過したことや発射玉数や打込玉数が所定数に達したこと、あるいは特別可変表示装置１４や普通可変表示装置４の表示結果が所定の表示結果になったこと等、どのような条件であってもよい。」（第１８頁３４欄２６〜３５行）
　
・記載事項１８
　図１には、可変表示装置３に設けられた、始動記憶表示器７、始動記憶表示器１５、特別可変表示装置１４が図示されている。
　
　上記記載事項によれば、引用文献には、以下の発明（以下、「引用発明」という。）が記載されている。 
　「始動入賞口１２にパチンコ玉が入賞すれば、可変表示装置３に設けられた始動入賞記憶表示器１５に入賞記憶値が表示され、及び該可変表示装置３の特別可変表示装置１４が可変表示され、特別図柄入賞記憶エリアのエリア１に格納されているランダム１カウンタの値に基づいた１次抽選とランダム２カウンタの値に基づいた２次抽選との２つの抽選結果が共に当りである場合に大当りと決定されて、大当りとなった場合には、大当り状態で特別可変入賞球装置１７の開閉板１９の開閉が繰り返し１６回を上限に行われ、上限に達した後は、ランダム２カウンタのカウント値に基づく確率変動用可変表示器２４の可変表示の停止時の表示結果が「３３」または「７７」の場合には特別可変表示装置１４が高確率で大当りが発生するように制御されるのであり、また、表示結果が「００」，「１１」，「２２」，「４４」，「５５」，「６６」，「８８」，「９９」のいずれかであった場合には、普通可変表示装置４が高確率で大当りが発生するように制御される遊技機において、
　パチンコ玉が通過すれば、普通可変表示装置４の左普通図柄表示器４ａ，中普通図柄表示器４ｂ，右普通図柄表示器４ｃを可変表示させる始動通過口５ａ，５ｂと、
　パチンコ玉が始動通過口５ａ，５ｂを通過することに基づき普通図柄入賞記憶エリアの対応するエリアに格納されたランダム４カウンタの値が当りに相当する値である場合、前記普通可変表示装置４の可変停止時の表示結果が予め定められた識別情報となり、一対の可動翼片９が所定時間開成してパチンコ球が入賞可能な状態になる普通可変入賞球装置８とを具備し、
　前記始動入賞記憶表示器１５は、普通可変入賞球装置８、始動入賞口１２に入賞したパチンコ玉の数を表示する遊技機。」（以下、「引用発明」という。）
　
３．対比
　
　本願補正発明と引用発明とを対比すると、引用発明の「始動入賞口１２」は、本願補正発明の「普通入賞口」に相当し、以下同様に、
　「パチンコ玉」は「パチンコ球」に、
　「可変表示装置３」は「表示装置」に、
　「始動入賞記憶表示器１５」は「入賞球表示部」に、
　「入賞記憶値」は「入賞したパチンコ球の数」に、
　「特別可変表示装置１４」は「表示部」に、
　「可変表示され」は「変動表示ゲームの推移を表示し」に、
　「特別可変入賞球装置１７]は「変動入賞装置」に、
　「始動通過口５ａ，５ｂ」は「ディジタルスタートチャッカー」に、
　「一対の可動翼片９」は「チューリップ」に、
　「普通可変入賞球装置８」は「特別入賞口」に、
　「確率変動用可変表示器２４」は「第２表示器」に、
それぞれ相当する。
　そして、引用発明について、以下のことがいえる。
　
（１）「特別図柄入賞記憶エリアのエリア１に格納されているランダム１カウンタの値に基づいた１次抽選とランダム２カウンタの値に基づいた２次抽選との２つの抽選結果が共に当りである場合に大当りと決定されて、大当りとなった場合には、大当り状態で特別可変入賞球装置１７の開閉板１９の開閉が繰り返し１６回を上限に行われ、上限に達した後は、ランダム２カウンタのカウント値に基づく確率変動用可変表示器２４の可変表示の停止時の表示結果が「３３」または「７７」の場合には特別可変表示装置１４が高確率で大当りが発生するように制御されるのであり、また、表示結果が「００」，「１１」，「２２」，「４４」，「５５」，「６６」，「８８」，「９９」のいずれかであった場合には、普通可変表示装置４が高確率で大当りが発生するように制御される」について
　
　始動口へのパチンコ玉の入賞を契機として、逐次更新される「ランダムカウンタの値」を抽出し、当該値が特定の値である場合に大当りとすることは、パチンコ遊技機分野において通常「乱数抽選」といわれることであり、引用発明は、ランダム１カウンタの値とランダム２カウンタの値に基づいて大当りか否か決定されているものであるから、「発生させた乱数の値により大当りを決定する」ものということができる。
　また、「大当りとなった場合には、大当り状態で特別可変入賞球装置１７の開閉板１９の開閉が繰り返し１６回を上限に行われる」が、本願補正発明の「大当りゲームで変動入賞装置を断続的に所定の回数だけ開放」するに相当することは明らかである。
　更に、引用発明は、１６回の上限に達した後、すなわち「所定の回数だけ開放した後」、ランダム２カウンタの値に基づく確率変動用可変表示器２４の可変表示の停止時の表示結果が特定の態様の場合には高確率で大当りが発生するように制御される、すなわち確率変動状態になるものであり、特定の態様でない場合にはそのような制御は行われない、すなわち普通確率状態になるものである。そして、「確率変動状態」になる大当りは、「確率変動大当り」、「普通確率状態」になる大当りは「普通大当り」ということができるから、引用発明は「確率変動大当りのときには高確率で大当りが発生する確率変動状態になる一方、普通大当りのときには普通確率状態になる」ものということができる。
　また、引用発明が、上記のような「普通大当り」や「確率変動大当り」の発生、及び大当りを発生させる確率のコントロールを行う制御部を具備することは当然のことである。
　そうすると、引用発明は、本願補正発明の「発生させた乱数の値により普通大当り又は確率変動大当りを決定すると共に、普通大当り又は確率変動大当りとなった場合、大当りゲームで変動入賞装置を断続的に所定の回数だけ開放した後、確率変動大当りのときには高確率で大当りが発生する確率変動状態になる一方、普通大当りのときには普通確率状態になる遊技機」、「各変動表示ゲームにおいて、普通大当りや確率変動大当りの発生、及び大当りを発生させる確率をコントロールする制御部」に相当する構成を実質的に具備するものである。
　
（２）「パチンコ玉が通過すれば、普通可変表示装置４の左普通図柄表示器４ａ，中普通図柄表示器４ｂ，右普通図柄表示器４ｃを可変表示させる始動通過口５ａ，５ｂと」について
　
　「始動通過口５ａ，５ｂ」は本願補正発明の「ディジタルスタートチャッカー」に相当し、パチンコ玉が通過するものであるから、引用発明は本願補正発明の「パチンコ球が通過するディジタルスタートチャッカー」に相当する構成を実質的に具備するものである。
　
（３）「パチンコ玉が始動通過口５ａ，５ｂを通過することに基づき普通図柄入賞記憶エリアの対応するエリアに格納されたランダム４カウンタの値が当りに相当する値である場合、前記普通可変表示装置４の可変停止時の表示結果が予め定められた識別情報となり、一対の可動翼片９が所定時間開成してパチンコ球が入賞可能な状態になる普通可変入賞球装置８とを具備し、」について
　
　普通可変入賞球装置８は、一対の可動翼片９を備えたものであるので、「チューリップを具備する特別入賞口」ということができ、「パチンコ玉が始動通過口５ａ，５ｂを通過することに基づき格納されたランダム４カウンタの値が当りに相当する値である場合」とは「パチンコ球がディジタルスタートチャッカーを通過することにより発生させた乱数が所定数の場合」といいかえられることは明らかであり、その場合に一対の可動翼片９が所定時間開成してパチンコ球が入賞可能な状態になるものである。そして、上記（１）で記載したように、確率変動用可変表示器２４の可変表示の停止時の表示結果が特定の場合（例、「００」）には、普通可変表示装置４が高確率で大当りが発生するように制御されるから、確率変動状態ではチューリップは普通確率状態よりも開放され易くされるものであり、引用発明がこのような制御を行う手段すなわち制御部を有することは当然のことである。　
　そうすると、引用発明は、本願補正発明の「チューリップを具備する特別入賞口」、「パチンコ球がディジタルスタートチャッカーを通過することにより発生させた乱数が所定数の場合、チューリップを所定時間開いてパチンコ球を特別入賞口に入賞可能とする制御部」および「制御部は、第２表示器を変動及び停止させ、所定の停止表示の場合、確率変動状態にして、パチンコ球がディジタルスタートチェッカーを通過すると、チューリップを普通確率状態よりも開放され易くさせる」に相当する構成を実質的に具備するものである。
　
（４）「始動入賞記憶表示器１５は、普通可変入賞球装置８、始動入賞口１２に入賞したパチンコ玉の数を表示する」について
　
　引用発明の「始動入賞口１２」及び「普通可変入賞球装置８」は、それぞれ本願補正発明の「普通入賞口」及び「特別入賞口」に相当するものであるから、引用発明は、本願補正発明の「入賞球表示部は、普通入賞口に入賞したパチンコ球の数及び特別入賞口に入賞したパチンコ球の数も表示し」に相当することは明らかである。
　
　そうすると、本願発明と引用発明とは、 
　「普通入賞口にパチンコ球が入賞すると、表示装置に設けられた入賞球表示部に入賞したパチンコ球の数を表示し、及び該表示装置の表示部に変動表示ゲームの推移を表示し、発生させた乱数の値により普通大当り又は確率変動大当りを決定すると共に、普通大当り又は確率変動大当りとなった場合、大当りゲームで変動入賞装置を断続的に所定の回数だけ開放した後、確率変動大当りのときには高確率で大当りが発生する確率変動状態になる一方、普通大当りのときには普通確率状態になる遊技機において、
　パチンコ球が通過するディジタルスタートチャッカーと、
　チューリップを具備する特別入賞口と、
　第２表示器と、
　各変動表示ゲームにおいて、普通大当りや確率変動大当りの発生、及び大当りを発生させる確率をコントロールすると共に、パチンコ球がディジタルスタートチャッカーを通過することにより発生させた乱数が所定数の場合、チューリップを所定時間開いてパチンコ球を特別入賞口に入賞可能とする制御部とを具備し、
　入賞球表示部は、普通入賞口に入賞したパチンコ球の数及び特別入賞口に入賞したパチンコ球の数も表示し
　制御部は、第２表示器を変動及び停止させ、所定の停止表示の場合、確率変動状態にして、パチンコ球がディジタルスタートチャッカーを通過すると、チューリップを普通確率状態よりも開放され易くさせる遊技機。」の点で一致し、以下の点で相違する。
　
＜相違点１＞　 
　第２表示器が、本願補正発明では、「特別入賞口にパチンコ球が入賞すると」、変動を開始する」及び「変動及び停止」するのに対し、引用発明では、「大当り状態で特別可変入賞球装置１７の開閉板１９の開閉が・・上限に達した後」に可変表示を行う点。  
　
＜相違点２＞
　「普通当りや確率変動大当り」が、本願補正発明では、「普通図柄での普通大当りや特別図柄での確率変動大当り」であるのに対し、引用発明ではそのような構成ではない点。
  
＜相違点３＞
　第２表示器が所定の停止表示の場合に、本願補正発明ではチューリップの開放時間も向上させるのに対し、引用発明ではそのような構成であるか不明である点。 
　
４．判断
　上記相違点について検討する。
　
＜相違点１＞について
  引用文献の段落【００９５】には「特別図柄と普通図柄との確率変動条件は、少なくとも確率変動用可変表示器２４の表示図柄が所定の図柄に揃った場合に変動するものであれば、」との前提の上で、「それ以外の条件の成立時にも変動させるようにしてもよい。」と記載されており、「それ以外の条件の成立時」の例として、段落【００９７】には「普通可変入賞球装置８・・・に打玉が入賞したときに抽出したランダムカウンタの値が予め定める値であった場合に確率を向上させてもよい。」と記載されている。
　したがって、引用発明において、普通可変入賞球装置８への打玉の入賞を確率変動用可変表示器２４を可変表示させるきっかけとし、相違点１にかかる本願補正発明の構成とすることは、当業者にとって格別困難なことではない。 
　
＜相違点２＞について
　パチンコ遊技機において、特別図柄（例えば、奇数の図柄）が可変表示装置に揃ったときに確率変動大当りとし、それ以外の普通図柄（例えば、偶数の図柄）が可変表示装置に揃ったときに普通大当りとすることは、本願出願前において慣用手段に過ぎない。
　したがって、引用発明において、大当りを「普通図柄での普通大当りや特別図柄での確率変動大当り」とすることは、単なる設計事項に過ぎない。
　
＜相違点３＞について
　パチンコ遊技機において、確率変動時に、可変始動口装置（本願補正発明の「特別入賞口」に相当）への始動入賞を容易にするために、普通図柄の可変停止結果に基づいて開成するチューリップの開放時間を長くすることは、例を挙げるまでもなく従来周知の技術手段であるから、引用発明に従来周知の技術を適用して、相違点３に係る本願補正発明の構成とすることは、当業者にとって格別困難なことではない。  
 
　そして、本願補正発明の効果は、引用発明、上記周知技術から当業者が予測できる範囲のものである。
　
　したがって、本願補正発明は、引用発明、上記周知技術に基づいて、当業者が容易に発明をすることができたものであるから、特許法２９条２項の規定により特許出願の際独立して特許を受けることができないものである。
　
５．むすび
　以上のとおり、本件補正は、上記改正前の特許法１７条の２第５項で準用する同法１２６条第５項の規定に違反するものであり、同法１５９条第１項で準用する同法５３条第１項の規定により却下されるべきものである。
　
第３．本願発明について
　
１．本願発明の認定
　
　平成２１年６月２２日付けの手続補正は上記のとおり却下されたので、本願の請求項１に係る発明（以下、「本願発明」という。）は、平成２１年４月１４日付けの手続補正書の特許請求の範囲の請求項１に記載された事項により特定される、以下のとおりのものである。
　「普通入賞口にパチンコ球が入賞すると、表示装置の表示部に変動表示ゲームの推移を表示し、発生させた乱数の値により普通大当り又は確率変動大当りを決定すると共に、普通大当り又は確率変動大当りとなった場合、大当りゲームで変動入賞装置を断続的に所定の回数だけ開放した後、確率変動大当りのときには高確率で大当りが発生する確率変動状態になる一方、普通大当りのときには普通確率状態になる遊技機において、
パチンコ球が通過するディジタルスタートチャッカーと、
チューリップを具備する特別入賞口と、
特別入賞口にパチンコ球が入賞すると、変動を開始する第２表示器と、
各変動表示ゲームにおいて、普通図柄での普通大当りや特別図柄での確率変動大当りの発生、及び大当りを発生させる確率をコントロールすると共に、パチンコ球が前記ディジタルスタートチャッカーを通過することにより発生させた乱数が所定数の場合、前記チューリップを所定時間開いてパチンコ球を特別入賞口に入賞可能とする制御部とを具備し、
前記制御部は、特別入賞口にパチンコ球が入賞すると、第２表示器を変動及び停止させ、所定の停止表示の場合、確率変動状態にして、パチンコ球が前記ディジタルスタートチャッカーを通過すると、チューリップを普通確率状態よりも開放され易くし且つ開放時間も向上させること、
を特徴とする遊技機。」　
　
２．本願発明の進歩性の判断
　
（１）引用文献
　
　拒絶の理由に引用された引用文献及びその記載事項は、前記第２の２．に記載したとおりである。　
　
（２）対比・判断
　
　本願発明は、前記第２で検討した本願補正発明から、「表示装置」について「入賞したパチンコ球の数を表示」及び「普通入賞口に入賞したパチンコ球の数及び特別入賞口に入賞したパチンコ球の数も表示」する「入賞球表示部」が設けられている旨の限定を省いたものである。
　そうすると、本願発明の構成をすべて含み、さらに他の構成要件を付加したものに相当する本願補正発明が、前記第２の４．に記載したとおり、引用発明、上記周知技術に基づいて当業者が容易に発明をすることができたものであるから、本願発明も同様の理由により、引用発明に基づいて当業者が容易に発明をすることができたものである。　
　
第４．むすび
　
　以上のとおり、本願発明は、引用発明及び上記周知技術に基づいて、当業者が容易に発明をすることができたものであるから、特許法２９条２項の規定により特許を受けることができない。
　よって、結論のとおり審決する。